【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
多孔質支持体、および
前記多孔質支持体上にコーティングされたガス吸着材料
を含む吸着剤であって、
前記ガス吸着材料は、１種以上のポリアミンを含み、前記１種以上のポリアミンは、反応生成物および／または反応物としてホルムアルデヒドを含まないプロセスに従って製造される、前記吸着剤。
【請求項２】
プロセスが、アミン化合物と反応物との反応を含む、請求項１記載の吸着剤。
【請求項３】
アミン化合物が、ペンタエチレンヘキサミン、ジエタノールアミン、テトラエチレンペンタミン、トリエチレンテトラミン、テトラエチレンテトラミン、ビス（２−ヒドロキシプロピル）アミン、Ｎ，Ｎ’−ビス（２−ヒドロキシエチル）エチレンジアミン、モノエタノールアミン、ジイソプロパノールアミン、アルキルアミン、メチルアミン、直鎖状ポリエチレンイミン、分枝鎖状ポリエチレンイミン、ジメチルアミン、ジエチルアミン、メチルジエタノールアミン、メチルエタノールアミン、ポリエチレンポリアミン、ジエチレントリアミン、Ｎ，Ｎ’−ビス−（３−アミノプロピル）エチレンジアミン、またはポリエチレンのうち１種以上を含む、請求項２記載の吸着剤。
【請求項４】
アミン化合物が、ペンタエチレンヘキサミンを含む、請求項２記載の吸着剤。
【請求項５】
アミン化合物が、Ｎ，Ｎ’−ビス−（３−アミノプロピル）エチレンジアミンを含む、請求項２記載の吸着剤。
【請求項６】
反応物が、下記式：
【化１】
2019507674.tif 000001
［式中、Ｒ１およびＲ２は、水素、ハロゲン、アルカノイル、アルキル、任意に置換されるアルキル、シクロアルキル、任意に置換されるシクロアルキル、アルケニル、任意に置換されるアルケニル、シクロアルケニル、任意に置換されるシクロアルケニル、アルキニル、任意に置換されるアルキニル、ヒドロキシ、アリール、任意に置換されるアリール、アラルキル、（ヘテロシクロ）アルキル、（ヘテロアリール）アルキル、（アミノ）アルキル、（アルキルアミノ）アルキル、（ジアルキルアミノ）アルキル、（カルボキサミド）アルキル、（シアノ）アルキル、アルコキシアルキル、およびヒドロキシアルキルからなる群から独立して選択される］
を有する炭酸エステル化合物を含む、請求項２から５までのいずれか１項記載の吸着剤。
【請求項７】
反応物が、下記式：
【化２】
2019507674.tif 000002
［式中、Ｒ１はＣｎＨ２ｎ＋１を含み、Ｒ２はＣｍＨ２ｍ＋１を含み、ｎは１〜１８の整数であり、ｍは１〜１８の整数である］
を有する炭酸エステル化合物を含む、請求項２から５までのいずれか１項記載の吸着剤。
【請求項８】
反応物が、アルキルカーボネートを含む、請求項２から５までのいずれか１項記載の吸着剤。
【請求項９】
アルキルカーボネートが、ジメチルカーボネートまたはジエチルカーボネートのうち１種以上を含む、請求項８記載の吸着剤。
【請求項１０】
反応物が、アセトン、ベンゾイン、ニンヒドリン、ベンゾフェノン、ベンゾインメチルエーテル、ブタノン、ペンタノン、ヘキサノン、ヘプタノン、アセト酢酸メチル、またはアセト酢酸エチルのうち１種以上を含むケトンを含む、請求項２から５までのいずれか１項記載の吸着剤。
【請求項１１】
反応物が、アセトンを含む、請求項２から５までのいずれか１項記載の吸着剤。
【請求項１２】
ポリアミンが、吸着剤の全質量の２０％〜６０％の量で存在する、請求項１から１１までのいずれか１項記載の吸着剤。
【請求項１３】
吸着剤の失活率が、８５％より高い、請求項１から１２までのいずれか１項記載の吸着剤。
【請求項１４】
吸着剤の失活率が、９０％より高い、請求項１から１３までのいずれか１項記載の吸着剤。
【請求項１５】
吸着剤のＣＯ２吸着能力が、１１ｇ／Ｌより高い、請求項１から１４までのいずれか１項記載の吸着剤。
【請求項１６】
吸着剤のＣＯ２吸着能力が、吸着剤の質量に対する吸着されたＣＯ２の質量として計算すると１．０質量％より高い、請求項１から１４までのいずれか１項記載の吸着剤。
【請求項１７】
吸着剤のＣＯ２吸着能力が、吸着剤の質量に対する吸着されたＣＯ２の質量として計算すると１．５質量％より高い、請求項１から１４までのいずれか１項記載の吸着剤。
【請求項１８】
多孔質支持体が、粘土を含む、請求項１から１７までのいずれか１項記載の吸着剤。
【請求項１９】
多孔質支持体が、ベントナイト、アタパルジャイト、カオリナイト、モンモリロナイト、ボールクレー、フラー土、ヘクトライト、パリゴルスカイト、サポナイト、セピオライト、ハロイサイト、シリカ、硫酸カルシウム、ゼオライト、合成ゼオライト、アルミナ、チタニア、ヒュームドシリカ、活性炭、または金属有機骨格のうち１種以上を含む、請求項１から１７までのいずれか１項記載の吸着剤。
【請求項２０】
多孔質支持体が、アタパルジャイトを含む、請求項１から１７までのいずれか１項記載の吸着剤。
【請求項２１】
多孔質支持体の表面積が、５０ｍ２／ｇより大きい、請求項１から２０までのいずれか１項記載の吸着剤。
【請求項２２】
多孔質支持体の平均細孔容積が、０．１ｃｃ／ｇより大きく、かつ３．０ｃｃ／ｇ未満である、請求項１から２１までのいずれか１項記載の吸着剤。
【請求項２３】
多孔質支持体が、約０．２５ｍｍ〜約５ｍｍの範囲の直径を有する顆粒の形である、請求項１から２２までのいずれか１項記載の吸着剤。
【請求項２４】
支持体が、その上に形成されたシリコン系コーティングを含む、請求項１から２３までのいずれか１項記載の吸着剤。
【請求項２５】
多孔質支持体上に形成されたシリコン系コーティングをさらに含む、請求項１から２４までのいずれか１項記載の吸着剤。
【請求項２６】
全吸着剤の質量に対する吸着されたホルムアルデヒドの質量として計算すると０．７質量％より高いホルムアルデヒド吸着能力を有する、請求項１から２５までのいずれか１項記載の吸着剤。
【請求項２７】
ホルムアルデヒド吸着能力が、０．８質量％より高い、請求項２６記載の吸着剤。
【請求項２８】
空気流が流れるプラグフロー反応器に充填される際に、ホルムアルデヒドの９０％超を吸着する、請求項１から２５までのいずれか１項記載の吸着剤であって、前記空気流は、２ｐｐｍのホルムアルデヒドおよび４００ｐｐｍのＣＯ２を最初に含有し、エアフローは、３０℃に維持され、かつ５０，０００ｈ−１の空間速度を有する、前記吸着剤。
【請求項２９】
ホルムアルデヒドの９０％超を吸着する、請求項２８記載の吸着剤。
【請求項３０】
吸着剤の製造方法であって、
第１のアミン化合物および反応物を含む反応溶液を調製すること、前記反応物は、炭酸エステル化合物またはケトン化合物を含み、かつ前記第１のアミン化合物は、前記反応物と反応して第２のアミン化合物を生成する；および
前記第２のアミン化合物を、多孔質支持体に含浸させて前記吸着剤を製造すること
を含む、前記製造方法。
【請求項３１】
第１のアミン化合物と反応物との反応生成物が、ホルムアルデヒドを含まない、請求項３０記載の方法。
【請求項３２】
第１のアミン化合物は、第１の数のアミン部分を含み、第２のアミン化合物は、第１の数のアミン部分以上の第２の数のアミン部分を含む、請求項３０または３１記載の方法。
【請求項３３】
第１の数のアミン部分が、１より多い、請求項３２記載の方法。
【請求項３４】
第１の数のアミン部分が、２より多い、請求項３２記載の方法。
【請求項３５】
第１の数のアミン部分が、３より多い、請求項３２記載の方法。
【請求項３６】
第１の数のアミン部分が、４より多い、請求項３２記載の方法。
【請求項３７】
第１の数のアミン部分が、５より多い、請求項３２記載の方法。
【請求項３８】
第１のアミン化合物が、ペンタエチレンヘキサミン、ジエタノールアミン、テトラエチレンペンタミン、トリエチレンテトラミン、テトラエチレンテトラミン、ビス（２−ヒドロキシプロピル）アミン、Ｎ，Ｎ’−ビス（２−ヒドロキシエチル）エチレンジアミン、モノエタノールアミン、ジイソプロパノールアミン、アルキルアミン、メチルアミン、直鎖状ポリエチレンイミン、分枝鎖状ポリエチレンイミン、ジメチルアミン、ジエチルアミン、メチルジエタノールアミン、メチルエタノールアミン、ポリエチレンポリアミン、ジエチレントリアミン、Ｎ，Ｎ’−ビス−（３−アミノプロピル）エチレンジアミン、またはポリエチレンのうち１種以上を含む、請求項３０または３１記載の方法。
【請求項３９】
第１のアミン化合物が、ペンタエチレンヘキサミンを含む、請求項３０または３１記載の方法。
【請求項４０】
第１のアミン化合物が、Ｎ，Ｎ’−ビス−（３−アミノプロピル）エチレンジアミンを含む、請求項３０または３１記載の方法。
【請求項４１】
炭酸エステル化合物が、下記式：
【化３】
2019507674.tif 000003
［式中、Ｒ１およびＲ２は、水素、ハロゲン、アルカノイル、アルキル、任意に置換されるアルキル、シクロアルキル、任意に置換されるシクロアルキル、アルケニル、任意に置換されるアルケニル、シクロアルケニル、任意に置換されるシクロアルケニル、アルキニル、任意に置換されるアルキニル、ヒドロキシ、アリール、任意に置換されるアリール、アラルキル、（ヘテロシクロ）アルキル、（ヘテロアリール）アルキル、（アミノ）アルキル、（アルキルアミノ）アルキル、（ジアルキルアミノ）アルキル、（カルボキサミド）アルキル、（シアノ）アルキル、アルコキシアルキル、およびヒドロキシアルキルからなる群から独立して選択される］
のものである、請求項３０から４０までのいずれか１項記載の方法。
【請求項４２】
炭酸エステル化合物が、下記式：
【化４】
2019507674.tif 000004
［式中、Ｒ１はＣｎＨ２ｎ＋１を含み、Ｒ２はＣｍＨ２ｍ＋１を含み、ｎは１〜１８の整数であり、かつｍは１〜１８の整数である］
のものである、請求項３０から４０までのいずれか１項記載の方法。
【請求項４３】
炭酸エステル化合物が、アルキルカーボネートを含む、請求項３０から４０までのいずれか１項記載の方法。
【請求項４４】
アルキルカーボネートが、ジメチルカーボネートまたはジエチルカーボネートのうち１種以上を含む、請求項３０から４０までのいずれか１項記載の方法。
【請求項４５】
ケトンが、アセトン、ベンゾイン、ニンヒドリン、ベンゾフェノン、ベンゾインメチルエーテル、ブタノン、ペンタノン、ヘキサノン、ヘプタノン、アセト酢酸メチル、またはアセト酢酸エチルのうち１種以上を含む、請求項３０から４０までのいずれか１項記載の方法。
【請求項４６】
ケトンが、アセトンを含む、請求項３０から４０までのいずれか１項記載の方法。
【請求項４７】
第２のアミン化合物が、吸着剤の全質量の２０％〜６０％の量で存在する、請求項３０から４６までのいずれか１項記載の方法。
【請求項４８】
支持体を、含浸前にか焼することをさらに含む、請求項３０から４７までのいずれか１項記載の方法。
【請求項４９】
多孔質支持体のか焼が、多孔質支持体を４００℃〜６００℃の温度でか焼することを含む、請求項４８記載の方法。
【請求項５０】
請求項３０から４９までのいずれか１項記載の方法に従って製造された吸着剤。
【請求項５１】
請求項１から２９までのいずれか１項または請求項５０記載の吸着剤を含み、前記吸着剤が、ＣＯ２および／またはＶＯＣスクラビングシステム内に受容された空気に接触するように配置されている、前記ＣＯ２および／またはＶＯＣスクラビングシステム。
【請求項５２】
フィルタユニット；および
前記フィルタユニット内に配置された、請求項１から２９までのいずれか１項または請求項５０記載の吸着剤
を含む、自動車の換気システム。
【請求項５３】
フィルタユニット；および
前記フィルタユニット内に配置された、請求項１から２９までのいずれか１項または請求項５０記載の吸着剤
を含む、航空機環境制御システム。
【請求項５４】
大気から二酸化炭素を除去するための空気制御システムであって、
フィルタユニット；および
前記フィルタユニット内に配置された、請求項１から２９までのいずれか１項または請求項５０記載の吸着剤
を含む、前記空気制御システム。
【請求項５５】
請求項１から２９までのいずれか１項または請求項５０記載の吸着剤が配置されている、食品貯蔵容器。
【請求項５６】
粉末の形の、請求項１から２９までのいずれか１項または請求項５０記載の吸着剤を含む、塗料組成物。
【請求項５７】
請求項１から２９までのいずれか１項または請求項５０記載の吸着剤を含む、ポリテトラフルオロエチレン空気フィルターシート。
【請求項５８】
第１のＣＯ２濃度を有する第１の体積の空気を、請求項１から２９までのいずれか１項または請求項５０記載の吸着剤を含む空気処理チャンバに流すこと；および
前記吸着剤を、前記第１の体積の空気と接触させること
を含む空気の処理方法であって、前記第１の体積の空気の第２のＣＯ２濃度が、接触後の第１のＣＯ２濃度未満である、前記処理方法。
【請求項５９】
第１の体積の空気が、建造物の内部から再循環される空気を含む、請求項５８記載の方法。
【請求項６０】
第３のＣＯ２濃度を有する第２の体積の空気を、空気処理チャンバ内に流すこと；および
吸着剤を、前記第２の体積の空気と接触させること
をさらに含み、その際、前記第２の体積の空気の第４のＣＯ２濃度が、接触後の第３のＣＯ２濃度より高い、請求項５９記載の方法。
【請求項６１】
第２の体積の空気が、建造物の外部からの空気を含む、請求項６０記載の方法。
【請求項６２】
請求項１から２９までのいずれか１項または請求項５０記載の吸着剤を含み、前記吸着剤がウォッシュコートされた、多孔質セラミックハニカム、金属ハニカム、またはポリマーフォームの形である、吸着体。